(57)【要約】【課題】  健常者が立ち居で使用する形態と、車椅子利用者が使用する形態との二つの形態を有し、簡単な操作でそれら形態間の変更が可能であり、しかも立ち居で使用する際の充分な収納空間と、車椅子利用者が使用する際の充分な接近を確保でき、いずれの形態の場合においても家具調の外観を保持することが可能な洗面化粧台を提供することである。【解決手段】  正面側が開放されカウンターの下部に、奥側の一端を軸として正面側の他端を上部に回動可能な棚板を有し、該棚板は車椅子利用者が使用するときは、回動され立設されることでカウンターの下部に車椅子用の進入空間を形成するとともに、カウンターの洗面ボウルからの配管上部を隠蔽することを特徴とする洗面化粧台。【選択図】  図２
2013180173.tif 000002
【特許請求の範囲】
【請求項１】
洗面ボウルを有するカウンター、両側板及び背板を有し、前記背板に沿って洗面ボウルからの配管が延設された洗面化粧台であって、前記カウンターの下部に奥側の一端を軸として他端を上部に回動可能に両側板に固定された棚板を有し、該棚板は回動され、立設されることで前記カウンターの下部に車椅子用の空間部を形成するとともに、前記配管の上部を隠蔽することを特徴とする洗面化粧台。
【請求項２】
両側板に、背板と平行方向に両端を固定され前記配管の下部を隠蔽する下部隠蔽板を有する請求項１に記載の洗面化粧台。
【請求項３】
前記下部隠蔽板の上部は前記棚板の奥側端面に沿って幅方向に、該棚板の上面を超えて上側に突き出している請求項２に記載の洗面化粧台。
【請求項４】
正面開放部の上端、両側板の間に、洗面ボウルの正面を隠蔽する幕板を有する請求項１〜３のいずれか１項に記載の洗面化粧台。
【請求項５】
前記幕板は上側の一端を軸として、下端を奥側に回転可能に両側板に固定されている請求項４に記載の洗面化粧台。
【発明の詳細な説明】
【技術分野】
【０００１】
本発明は通常は健常者が立ち居で使用する洗面化粧台として利用され、簡単な操作のみでそのまま車椅子利用者が使用可能な洗面化粧台へと変更可能な洗面化粧台に関する。
【背景技術】
【０００２】
近年高齢化の進行とともに、高齢者の生活形態により適合した居住環境を整備するため、住居設計全体の見直しや、住居内の各種敷設物等の配置や設計についての改良が行われている。高齢者用住宅の居室内、寝室内等への洗面化粧台の設置も、居室等から洗面台へのアクセス距離短縮の要請と、使用頻度自体の増加といった高齢者特有の生活形態への対処として設計され使用され始めている。
ただしこのような設計は、いまだ端緒についたばかりであり、高齢者の生活全般に係わる利便性を備え、かつ居室空間の中にサニタリー設備を違和感無く適合させる最適設計が模索されている。
【０００３】
特に高齢者についてはその生活形態が加齢とともに急速に変化するため、例えば健常者として生活可能な年齢では高齢者用の設備がむしろ目立つことなく、通常の立ち居で使用する際に便利な機能を保持しており、車椅子を使用する年齢となったときに、その設備がそのまま高齢者にも可能な簡単な操作によって、車椅子利用者用としての機能を果たす形態に容易に変更可能であることが好ましい。このような変更を可能にすることによって、たとえ高齢者かつ車椅子利用者となったとしても慣れ親しんだ敷設物や設備がそのまま継続使用でき、配置や使用感に違和感を覚えることがない。
【０００４】
一方高齢者は加齢とともに住居内での生活時間が増加するため、たとえ機能に優れていたとしても、敷設物や設備が無機的な外観を呈することなく、家具調の外観を呈して居住空間内で違和感の無いことが好ましい。例えばサニタリー設備であれば、洗面ボウルや洗面ボウルから延設される配管が剥き出しの外観を呈することが無く、居室内の他の家具や敷設物との統一感を有していることが好ましい。特に車椅子利用者については、目線が低い分、白を基調とした無機質な洗面ボウルの外観が間近に視認され、またこれに連なる配管が目に付きやすく、居室空間の中での異質な外観に違和感を覚えながら、居室内の長い時間を過ごす可能性が高いためなおさらである。
【０００５】
家具調の外観を有し、かつ居住者特に高齢者の生活状況に応じて、車椅子が使用可能な形態へと変更可能な洗面化粧台として、洗面ボウルからの配水管及び水栓カランへの吸水管を洗面台カウンター下の箱体内に収納設置し、開閉機能を保持したままで前面の両扉パネルの下部を奥側に後退させて扉を傾倒させ、カウンター下部の空間を拡張して、車椅子の洗面化粧台への充分な接近を可能とした洗面化粧台が考案されている（文献１参照）。しかし傾倒されつつも両扉パネルがカウンター下の空間を遮っていることに変わりなく、洗面ボウルとの間の配管は隠されるが、車椅子使用者の充分な接近を可能とする空間を確保することができない。しかも蹴込み板の位置を変更し両扉パネルを傾倒させるなど、金具による部品の多くの固定箇所を変更せねばならず、車椅子使用者に適した形態に変更するのに多くの手間と時間を要するものであった。
【０００６】
またカウンター下部の空間を隠蔽する前面板と前方部分が回動して立設可能の底板を配管スペースの前面に立設状態に移動可能とすることにより、車椅子利用者の膝部や車椅子の前端部分入れる空間部をカウンター下に形成する車椅子対応設備機器が考案されている（文献２参照）。しかしカウンター下の空間部は車椅子利用に対して充分確保されるものの、前面板や底板の移動や固定を要し、簡単に形態の変更を行えるものではなかった。
【０００７】
さらにカウンターの下方に膝用空間を形成できるように、配置換えできる棚板を着脱自在に備えた洗面化粧台が考案されている（文献３参照）。しかし棚板の取り外しに手間と時間を要することに変わりは無く、しかも取り外した棚板の収納が考慮されていない。しかも棚板と同時に前面板も取り外すため、例えば車椅子利用者用に形態を変更したときには洗面ボウルとの間の配管が充分に隠蔽されず、特に目線の低い車椅子利用者によって視認され易く、家具調の意匠性を損なうものであった。
【０００８】
さらに洗面カウンターの前面エプロンより後方下部の床より高い位置に、膝部を入れる空間を確保しつつ、かつ前方に傾倒するように開閉自在に取り付けされた扉を有する収納部を設けた洗面化粧台が考案されている（文献４参照）。しかしこのような洗面化粧台は車椅子利用者のための収納部が確保され、かつ該収納部によって配管上部が隠蔽されるものの、収納部の扉に遮られ、かつ前方に傾倒する扉のため車椅子使用者が充分な洗面カウンターへの接近を阻まれるものであった。また車椅子利用者専用の形態を有しているため、健常者が使用する際は洗面カウンター下部の空間を収納空間として広く使用することができなかった。
このように家具調の意匠性を保持しつつ、健常者が立ち居で使用する形態のときの充分な収納空間と、車椅子利用者が使用する形態ときの車椅子の充分な接近を可能とし、かつそれら二つの形態を簡単な操作で変更できるような洗面化粧台は存在しなかった。
【特許文献１】特開平８−１２６５８５
【特許文献２】特開２００１−１０４０６８
【特許文献３】特開２００２−１５９４０８
【特許文献４】特開２００６−０８７５１７
【発明の概要】
【発明が解決しようとする課題】
【０００９】
本発明の目的は、健常者が立ち居で使用する形態と、車椅子利用者が使用する形態との二つの形態を有し、簡単な操作でそれら形態間の変更が可能であり、しかも立ち居で使用する形態のときは充分な収納空間が確保され、また車椅子利用者が使用する形態のときは充分な膝部、及び車椅子前端の入る空間を確保することが可能であって、健常者、車椅子利用者のいずれが利用する形態の場合においても家具調の外観を保持する洗面化粧台を提供することである。    
【課題を解決するための手段】
【００１０】
発明者らは車椅子利用者が使用するときの充分な膝部、及び車椅子前端の入る空間を広く確保することを最優先に考慮して前扉をなくして正面を開放し、立ち居の使用者と車椅子利用者の目線の高さの違いを考慮して効果的な配管の隠蔽方法を検討するとともに、車椅子利用者の使用し易さを妨げず、かつ、両形態間で変更を行うときの簡単な操作を重視しつつ、立ち居で使用する形態のときの最大限の収納空間を確保することを検討して本発明に到達した。
【００１１】
すなわち本発明は、洗面ボウルを有するカウンター、両側板及び背板を有し、前記背板に沿って洗面ボウルからの配管が延設された洗面化粧台であって、前記カウンターの下部に奥側の一端を軸として他端を上部に回動可能に両側板に固定された棚板を有し、該棚板は回動され、立設されることで前記カウンターの下部に車椅子用の空間部を形成するとともに、前記配管の上部を隠蔽することを特徴とする洗面化粧台を提供する。
【００１２】
本発明の洗面化粧台はカウンターの下部に棚板を形成することで、立ち居の使用者が使用する形態のときに、カウンター下部の空間を収納空間として有効に使用することができる。さらに奥側の一端を軸として他端を上部に回動し立設することができるため、簡単な操作で車椅子利用者が使用する形態へと変更可能である。さらに立設した棚板は、カウンター下方の奥側に洗面ボウルから延設される配管のうち、特に大きく複雑な形状をしており、かつ車椅子利用者の目線の高さから視認されやすい配管上部を効果的に隠蔽することができる。
【発明の効果】
【００１３】
本発明の洗面化粧台は、家具調の外観を保有しつつ、健常者が使用する形態と車椅子利用者が使用する形態との間で簡単な操作により変更が可能である。そして立ち居で使用する形態においてはカウンター下の空間を収納空間として有効に利用することができ、一方車椅子利用者が使用する形態のときは、車椅子用の進入空間が形成され、利用者の膝部や車椅子前端部分がカウンター下部の奥にまで入ることにより、洗面ボウルを有するカウンターに容易に近づくことができる。そして両形態において洗面ボウルから延設される天板下方、奥部の配管が視認されにくく、とくに車椅子利用者が使用する形態において、車椅子利用者の目線から該配管が効果的に隠蔽され家具調の意匠を損なわない。
【図面の簡単な説明】
【００１４】
【図１】本発明の実施形態の一つである洗面化粧台を立ち居で使用する形態に設定した場合の、配管を省略して示す斜視図である。
【図２】本発明の実施形態の一つである洗面化粧台を車椅子利用者が使用する形態に設定した場合の、配管を省略して示す斜視図である。
【図３】立ち居で使用する形態に設定した場合の、配管を省略して示す断面図である。
【図４】車椅子利用者が使用する形態に設定した場合の、配管を省略して示す断面図である。
【図５】棚板が奥側の一端を軸として回動され立設される状況を示した断面図である。
【図６】下部隠蔽板と幕板を設置し立ち居で使用する形態に設定した場合の、配管を省略して示す斜視図である。
【図７】下部隠蔽板と幕板を設置し車椅子利用者が使用する形態に設定した場合の、配管を省略して示す斜視図である。
【図８】下部隠蔽板を設置した場合の棚板との位置関係と、棚板が回動され立設される状況を示した断面図である。
【発明を実施するための最良の形態】
【００１５】
以下本発明に掛かる洗面化粧台を図面に示す実施の形態に基づいて説明する。    
図１〜図５は本発明に掛かる洗面化粧台の基本的な実施形態を示すものであり、図６〜図８は  該基本的な実施形態にさらに好ましい改良を加えた実施形態を示すものである。
【００１６】
図１及び図３に示すように本願発明の洗面化粧台１は、キャビネット２とキャビネット２の上部に架設されたカウンター３とを備えている。キャビネットは左右の側板４、５と、両側板の奥側端面もしくは端面付近で連結された背板６を有し、両側板及び背板の上端にカウンター３が架設されている。カウンター３は洗面ボウル７を有し、操作レバー８及び吐水具９が取り付けられて洗面ボウル７とともに洗面設備を構成している。洗面ボウル７は別途天板１０にはめ込まれてカウンター３を構成するものであってもよいし、洗面ボウル７と天板１０が一体となってカウンター３として成形されたものであってもよい。また操作レバー８と吐水具９は図のように別部品であっても良いし、１個の部品として組み合わされていても良い。
上記両側板４、５、背板６、カウンター３で画成されたカウンター３下の空間１１の最奥部は配管用空間１２となっており、洗面ボウル７から延設する配水管（表示せず）、操作レバー８に接合される給水管（表示せず）及び給湯菅（表示せず）、並びに、吐水具９から延設されて操作レバー８に接合される給水ホース（表示せず）が配置される。
【００１７】
一方背板には上記各種配管が通過するための穴部が形成されていてもよく、あるいは背板が高さ方向に分割された数枚の背板で形成され、それら背板の間の隙間を前記配管が通過するように構成されていてもよい。
さらに本発明の洗面化粧台においては、前記カウンター下の空間１１のうち配管用空間１２の正面側の空間を上下に分割する棚板１３が架設され、前記棚板１３は奥部の端面付近を軸として回動可能に両側板間に固定される。
なお上記構成においてカウンターには人造大理石等、両側板、背板及び棚板等のキャビネットの材質には木質板等を使用することにより、適宜家具調の意匠性を付与することができる。
また図１、図２に示すように、鏡を洗面化粧台１の設置される壁面であって、カウンター３上の適切な位置に固定することができ、前記鏡の枠をキャビネット２と同系統の色調の木枠とすることもできる。
【００１８】
前記のように構成された洗面化粧台１は、図１、図３における健常者が使用する形態のときは棚板に洗面用の各種物品を収納することが可能である。物品を収納することで利用者から配管用空間の配管は視認されなくなる。棚板に収納用のかご等を配置した場合には隠蔽はより確実となるが、たとえ収納物が無い場合にも健常者の立ち位置の目線からでは、洗面ボウルを有するカウンターに阻まれて、余程かがみ込まない限り配管が視認されることはない。特に配管が複雑に入り組んだ配管スペース上部については、カウンターによって効果的に隠蔽される。一方配管の下部については棚板があるため、健常者の目線の高さからでは洗面化粧台に接近した位置から配管が視認されることはない。  
一方健常者の使用する形態のままでは、車椅子の進入空間が無いことはもちろんであるが、車椅子利用者の目線の位置が低いため配管が視認されやすく、特に洗面化粧台から一定距離以上離れたときに、洗面化粧台の配管スペースがより一層はっきり見えてしまう。
【００１９】
これに対して棚板１３を奥側の端面近くの回転軸を中心として図５に示すように他端を上部に回動させ、図２、図４のように立設させることにより、該棚板１３によって配管上部が効果的に隠蔽され、車椅子利用者の目線の高さからでも配管上部が視認されることがない。また同時にカウンター３下部に広い空間が形成されるため、車椅子利用者の膝部や車椅子の前端部分、肘掛け部分等が該空間に新入することが可能であり、車椅子利用者が充分に洗面ボウルを有するカウンター３に接近することができる。
【００２０】
前記棚板１３は奥側の一端、例えば奥側端面近くの背板６に平行な回転軸を中心として正面側である他端を上部方向に回動され、背板と略平行な位置でまで回動された後、棚板１３の正面側他端の両端面近くに固定された磁性金属片／または磁石と、両側板４、５の内側に固定された磁性金属／または磁石との間の吸着力で、立設、固定される。
このように簡単に形態の変更ができるため、例えば客室等に本願発明の洗面化粧台を設置した時には、宿泊者の必要に応じて適宜形態を容易に変更することが可能である。また配管部分の不具合が発生したときでも、容易に配管部分のメインテナンスに取りかかることができる。
さらに本願発明の洗面化粧台における形態の変更は、棚板等を取り外して付け直す必要が無く、車椅子利用者であっても、またさらに加えて高齢者であったとしても簡単に変更操作をおこなうことができる。
【００２１】
棚板の奥行きは、カウンター３下の空間１１のうち配管用空間１２の前方の空間の奥行きの大きさを最大値とし適宜調整できる。奥行きを大きく取りすぎると立設させたときに配管を隠蔽可能な面積は大きくなり、棚板としての収納スペースも大きくなるが、棚板をより下方に設置しなくてはならず、立設させたとしても車椅子利用者の膝部や足元部の空間をより大きく制限することになり、車椅子利用者の洗面化粧台への接近を妨げる可能性がある。一方奥行きを小さく取ると車椅子利用者の支障になる危険性は少ないが、隠蔽効果も限定的となり収納スペースも減少する。
以上を考慮し通常の洗面化粧台の奥行きを想定すると、最適な棚板の奥行きは３００±５０ｍｍと考えられる。
【００２２】
本願発明の洗面化粧台は、図６、図７に示すように第1の実施形態における配管の下部を隠蔽するために、配管空間１２の正面側の下部に両側板に固定された下部隠蔽板１４を背板に平行に設置してもよい。下部隠蔽板１４は洗面ボウルから延設される配管の下部を効果的に隠蔽するとともに、強度を補強する効果もある。
下部隠蔽板１４は配管下部の隠蔽に必要な部分を残し、強度不足にならない範囲で下部に切り欠き部１５を入れることにより、下部隠蔽板１４による車椅子利用者の足回り空間の減少を抑えることができる。
下部隠蔽板１４の高さが棚板１３の下面の高さを超えるときは、下部隠蔽板の固定位置は棚板の奥側端面のさらに奥側にする必要がある。このように下部隠蔽板１４を設置すると、棚板１３の上面を超えて、棚板の奥側端面に沿って棚板の幅方向に下部隠蔽板１４の上部が、突き出し部分１６を形成する（図６、図８参照）。このような形状とすることによって棚板に洗面用の物品を収納したときに、前記突き出し部分１６がストッパーとなり、収納物が棚板の奥側に落下することがない。ストッパーとしての機能は突き出る部分の高さが高いほど優れると考えられるが、下部隠蔽板１４は固定板であるため、配管のメインテナンスを妨げる危険性のない高さに適宜調整を行う必要がある。
【００２３】
さらに正面開放部の上端、両側板４、５の間に、洗面ボウル７の正面部分が視認されるのを防ぐための幕板１７をその両端を両側板４，５に固定して取り付けることができる（図６、図７参照）。但しこのような幕板１７は車椅子の肘掛け部分と高さが接近しているため、車椅子利用者が使用する形態に変更したときに、肘掛け部分と接触しないような高さに設定するよう適宜調整が必要である。
しかし前記幕板１７を、上側の一端を軸として、すなわち上側端面に近い部分を回転軸として、他端である下端を奥側に９０度以上回転可能に、両側板に固定とすることにより、該幕板に車椅子の肘掛け部分が接触しても、該幕板の下端が奥側に回転するため、車椅子及び車椅子利用者の洗面ボウルへの接近が何ら支障をうけることが受けることがない。
さらに該幕板は、立ち居で使用する形態においても、車椅子利用者が利用する形態においては特に、配管上部をより視認されにくくするという効果を発揮する。
【産業上の利用可能性】
【００２４】
本願発明の洗面化粧台は健常者が立ち居で使用する場合と、車椅子利用者が使用する場合にそれぞれ適合した形態へと簡単な操作で変更でき、特に高齢者用の居住空間に最適な設備として利用できる。
【符号の説明】
【００２５】
１      洗面化粧台
２      キャビネット
３      カウンター
４，５  側板
６      背板
７      洗面ボウル
８      操作レバー
９      吐水具
１０    天板
１１    カウンター下空間
１２    配管空間
１３    棚板
１４    下部隠蔽板
１５    切り欠き部
１６    突き出し部分
１７    幕板
【図１】
2013180173.tif 000003
【図２】
2013180173.tif 000004
【図３】
2013180173.tif 000005
【図４】
2013180173.tif 000006
【図５】
2013180173.tif 000007
【図６】
2013180173.tif 000008
【図７】
2013180173.tif 000009
【図８】
2013180173.tif 000010